(57)【要約】【解決手段】スラブＳ上に、脚部材１を配置した後、脚部材に、高さ調整工具２を接続させ、次いで、高さ調整工具を回転させることにより、高さ調整工具の所定位置に、スラブ上に載置されたレーザーレベル計の水平レーザービームＬを一致させ、その後、高さ調整工具を、脚部材から外した後に、脚部材に受台３を嵌着し、その後、受台に．床下地パネルＰを載置するようにしたものである。【効果】床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができる。【選択図】図２
2010159542.tif 000002
【特許請求の範囲】
【請求項１】
スラブ上に、脚部材を配置した後、脚部材に、高さ調整工具を接続させ、次いで、高さ調整工具を回転させることにより、高さ調整工具の所定位置に、スラブ上に載置されたレーザーレベル計の水平レーザービームを一致させ、その後、高さ調整工具を、脚部材から外した後に、脚部材に受台を嵌着し、その後、受台に．床下地パネルを載置するようにしたことを特徴とする床構造の施工方法。
【請求項２】
スラブ上に、予め、受台が嵌着された脚部材を配置した後に、脚部材に嵌着された受台に、高さ調整工具を接続させ、次いで、高さ調整工具を回転させることにより、高さ調整工具の所定位置に、スラブ上に載置されたレーザーレベル計の水平レーザービームを一致させ、その後、高さ調整工具を、脚部材に嵌着された受台から外した後に、受台に．床下地パネルを載置するようにしたことを特徴とする床構造の施工方法。
【請求項３】
スラブ上に、ボルトの上端部に形成されたスリットに楔が挿着された脚部材を配置した後、脚部材に、高さ調整工具を接続させ、次いで、高さ調整工具を回転させることにより、高さ調整工具の所定位置に、スラブ上に載置されたレーザーレベル計の水平レーザービーム一致させ、その後、高さ調整工具に挿入された楔打ち込み部材を打撃することにより、脚部材のボルトとナットとを固定し、その後、高さ調整工具を、脚部材から外した後に、脚部材に嵌着された受台に．床下地パネルを載置するようにしたことを特徴とする床構造の施工方法。
【請求項４】
施工部材を、脚部材と脚部材に接続される高さ調整工具とにより構成し、高さ調整工具を回転させることにより、高さ調整工具の所定位置を、レーザーレベル計の水平レーザービームに一致させるように構成したことを特徴とする施工方法に使用される施工部材。
【請求項５】
施工部材を、受台が取着された脚部材と脚部材に接続される高さ調整工具とにより構成し、高さ調整工具を回転させることにより、高さ調整工具の所定位置を、レーザーレベル計の水平レーザービームに一致させるように構成したことを特徴とする施工方法に使用される施工部材。
【請求項６】
施工部材を、ボルトの上端部に形成されたスリットに楔が挿着された脚部材と高さ調整工具と高さ調整工具に挿入された楔打ち込み部材とにより構成し、高さ調整工具の所定位置を、レーザーレベル計の水平レーザービームに一致させ後に、楔打ち込み部材により、楔を、ボルトの上端部に形成されたスリットに押し込み、脚部材のボルトとナットとを固定するように構成したことを特徴とする施工方法に使用される施工部材。
【発明の詳細な説明】
【技術分野】
【０００１】
本願発明は、コンクリート製のスラブ上に施工される床構造の施工方法及び該施工方法に使用される施工部材に関するものである。
【背景技術】
【０００２】
従来、床下地パネルの水平出し作業は、スラブ上に、受台が取着された脚部材を設置した後、スラブの全体に亘たって、床下地パネルを載置し、その後、作業者が、床下地パネルの上に乗って、床下地パネル間に形成された間隙に、適当な工具を挿入して、脚部材を構成するナットを回転させて、気泡を利用した水準器を利用して、受台の高さ調整を行っていた。
【０００３】
上述した脚部材は、ボルトと、該ボルトに螺合されたナットと、ボルトの下端に取着された防振ゴム部とから構成されている。このような脚部材を利用した床構造の施工方法は、一例として、特許文献１に開示されている。
【先行技術文献】
【特許文献】
【０００４】
【特許文献１】特開２００２−８１１９６号公報
【発明の概要】
【発明が解決しようとする課題】
【０００５】
上述した床下地パネルの水平出し作業は、作業者が、敷き詰められた床下地パネルの上に乗って、床下地パネルの水平出しを行うために、脚部材の防振ゴム部が、圧縮変形し、作業者が、他の床下地パネルの水平出しを行うために移動すると、圧縮変形された脚部材の防振ゴム部が、その弾性復元力により戻ることになり、結局は、正確な水平出しを行うことができないという問題があった。
【０００６】
また、作業者が、床下地パネルの上に乗ることにより、床下地パネルが湾曲する場合もあり、このように、床下地パネルが湾曲した状態で、水平出しを行っても、床下地パネルが湾曲しているので、正確な、床下地パネルの水平出しを行うことができないという問題があった。
【０００７】
更に、上述したように、各床下地パネルについて、それぞれ、水準器による水平出しを行うことになるので、各床下地パネルの水平誤差が、基準床下地パネルから離れるほど大きくなり、床下地パネル全体として、正確な水平出しを行うことが困難であるという問題があり．また、正確な水平出しを行おうとすると、水平出し作業に多大の労力と時間がかかることになり、ひいては、床構造の施工コストが上昇するという問題があった。
【０００８】
本発明の目的は、上述した従来の床構造の施工方法及び該施工方法に使用される脚部材が有する課題を解決することにある。
【課題を解決するための手段】
【０００９】
本発明は、上述した目的を達成するために、床構造の施工方法において、第１には、スラブ上に、脚部材を配置した後、脚部材に、高さ調整工具を接続させ、次いで、高さ調整工具を回転させることにより、高さ調整工具の所定位置に、スラブ上に載置されたレーザーレベル計の水平レーザービームを一致させ、その後、高さ調整工具を、脚部材から外した後に、脚部材に受台を嵌着し、その後、受台に．床下地パネルを載置するようにしたものであり、第２には、スラブ上に、予め、受台が嵌着された脚部材を配置した後に、脚部材に嵌着された受台に、高さ調整工具を接続させ、次いで、高さ調整工具を回転させることにより、高さ調整工具の所定位置に、スラブ上に載置されたレーザーレベル計の水平レーザービームを一致させ、その後、高さ調整工具を、脚部材に嵌着された受台から外した後に、受台に．床下地パネルを載置するようにしたものであり、第３には、スラブ上に、ボルトの上端部に形成されたスリットに楔が挿着された脚部材を配置した後、脚部材に、高さ調整工具を接続させ、次いで、高さ調整工具を回転させることにより、高さ調整工具の所定位置に、スラブ上に載置されたレーザーレベル計の水平レーザービーム一致させ、その後、高さ調整工具に挿入された楔打ち込み部材を打撃することにより、脚部材のボルトとナットとを固定し、その後、高さ調整工具を、脚部材から外した後に、脚部材に嵌着された受台に．床下地パネルを載置するようにしたものである。
【００１０】
本発明は、上述した目的を達成するために、施工方法に使用される施工部材において、第１には、施工部材を、脚部材と脚部材に接続される高さ調整工具とにより構成し、高さ調整工具を回転させることにより、高さ調整工具の所定位置を、レーザーレベル計の水平レーザービームに一致させるようにしたものであり、第２には、施工部材を、受台が取着された脚部材と脚部材に接続される高さ調整工具とにより構成し、高さ調整工具を回転させることにより、高さ調整工具の所定位置を、レーザーレベル計の水平レーザービームに一致させるようにしたものであり、第３には、施工部材を、ボルトの上端部に形成されたスリットに楔が挿着された脚部材と高さ調整工具と高さ調整工具に挿入された楔打ち込み部材とにより構成し、高さ調整工具の所定位置を、レーザーレベル計の水平レーザービームに一致させ後に、楔打ち込み部材により、楔を、ボルトの上端部に形成されたスリットに押し込み、脚部材のボルトとナットとを固定するように構成したものである。
【発明の効果】
【００１１】
スラブ上に、脚部材を配置した後、脚部材に、高さ調整工具を接続させ、次いで、高さ調整工具を回転させることにより、高さ調整工具の所定位置に、スラブ上に載置されたレーザーレベル計の水平レーザービームを一致させ、その後、高さ調整工具を、脚部材から外した後に、脚部材に受台を嵌着し、その後、受台に．床下地パネルを載置するようにしたので、床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができる。
【００１２】
スラブ上に、予め、受台が嵌着された脚部材を配置した後に、脚部材に嵌着された受台に、高さ調整工具を接続させ、次いで、高さ調整工具を回転させることにより、高さ調整工具の所定位置に、スラブ上に載置されたレーザーレベル計の水平レーザービームを一致させ、その後、高さ調整工具を、脚部材に嵌着された受台から外した後に、受台に．床下地パネルを載置するようにしたので、床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができるとともに、スラブ上に、受台が嵌着された脚部材を配置するように構成することにより、床構造の施工現場ではなく、工場等において、受台が嵌着された脚部材を用意しておくことができ、従って、床構造の施工現場における床下地パネルやフローリング材の施工作業の作業時間を短縮化することができ、ひいては、床構造の施工作業を効率的に行うことができる。
【００１３】
スラブ上に、ボルトの上端部に形成されたスリットに楔が挿着された脚部材を配置した後、脚部材に、高さ調整工具を接続させ、次いで、高さ調整工具を回転させることにより、高さ調整工具の所定位置に、スラブ上に載置されたレーザーレベル計の水平レーザービーム一致させ、その後、高さ調整工具に挿入された楔打ち込み部材を打撃することにより、脚部材のボルトとナットとを固定し、その後、高さ調整工具を、脚部材から外した後に、脚部材に嵌着された受台に．床下地パネルを載置するようにしたので、床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができるとともに、脚部材を構成するボルトとナットとの固定を、接着剤により行う場合に比べて、接着剤が固まるまで待つ必要がないので、床構造の施工時間を短縮化することができる。
【００１４】
施工部材を、脚部材と脚部材に接続される高さ調整工具とにより構成し、高さ調整工具を回転させることにより、高さ調整工具の所定位置を、レーザーレベル計の水平レーザービームに一致させるようにしたので、床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができる。
【００１５】
施工部材を、受台が取着された脚部材と脚部材に接続される高さ調整工具とにより構成し、高さ調整工具を回転させることにより、高さ調整工具の所定位置を、レーザーレベル計の水平レーザービームに一致させるようにしたので、床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができるとともに、スラブ上に、受台が嵌着された脚部材を配置するように構成することにより、床構造の施工現場ではなく、工場等において、受台が嵌着された脚部材を用意しておくことができ、従って、床構造の施工現場における床下地パネルやフローリング材の施工作業の作業時間を短縮化することができ、ひいては、床構造の施工作業を効率的に行うことができる。
【００１６】
施工部材を、ボルトの上端部に形成されたスリットに楔が挿着された脚部材と高さ調整工具と高さ調整工具に挿入された楔打ち込み部材とにより構成し、高さ調整工具の所定位置を、レーザーレベル計の水平レーザービームに一致させ後に、楔打ち込み部材により、楔を、ボルトの上端部に形成されたスリットに押し込み、脚部材のボルトとナットとを固定するように構成したので、床下地パネルの水平出し作業を、従来の床下地パネルの水平出し作業のように、作業者が、床下地パネルの上に乗るようなことがなく、スラブ上に乗って行うことができ、従って、脚部材を構成する防振ゴム部の弾性変形により、正確な、床下地パネルの水平出しを行うことができないという従来の床構造の施工方法が有する課題を確実に解決することができるとともに、脚部材を構成するボルトとナットとの固定を、接着剤により行う場合に比べて、接着剤が固まるまで待つ必要がないので、床構造の施工時間を短縮化することができる。
【図面の簡単な説明】
【００１７】
【図１】図１は、本発明の床構造の施工方法に使用される脚部材及び受台の分解斜視図である。
【図２】図２は、本発明の床構造の施工方法に使用される脚部材及び高さ調整工具の一部断面を含む正面図である。
【図３】図３は、本発明の床構造の施工方法に使用される脚部材に、高さ調整工具が接続された状態の一部断面を含む正面図である。
【図４】図４は、本発明の床構造の施工方法に使用される脚部材に、受台が取着された状態の一部断面を含む正面図である。
【図５】図５は、本発明の床構造の一部断面を含む拡大正面図である。
【図６】図６は、本発明の床構造の一部断面を含む正面図である。
【図７】図７は、本発明の別の実施例に使用される脚部材及び受台の正面図である。
【図８】図８は、本発明の別の実施例において使用される高さ調整工具の斜視図である。
【図９】図９は、本発明の別の実施例における脚部材、受台及び高さ調整工具の一部断面を含む正面図である。
【図１０】図１０、本発明の更に別の実施例に使用される脚部材の一部断面を含む正面図である。
【図１１】図１１は、本発明の更に別の実施例に使用される高さ調整工具と楔打ち込み部材の分解正面図である。
【図１２】図１２は、本発明の更に別の実施例に使用される高さ調整工具に、楔打ち込み部材が配設された状態の一部断面を含む正面図である。
【図１３】図１３は、本発明の更に別の実施例の脚部材、高さ調整工具及び楔打ち込み部材が配設された状態の一部断面を含む正面図である。
【図１４】図１４は、本発明の更に別の実施例の脚部材のの一部断面を含む正面図である。
【発明を実施するための形態】
【００１８】
以下に、本発明の床構造について説明するが、本発明の趣旨を越えない限り、何ら、本実施例に何ら限定されるものではない。
【００１９】
先ず最初に、図１及び図２を用いて、本発明の床構造の施工方法に使用される施工部材について説明する。
【００２０】
１は、脚部材であり、脚部材１は、棒状のボルト１ａと、ボルト１ａの下端に取着された防振ゴム部１ｂと、ボルト１ａに螺合されるナット１ｃとから構成されている。ナット１ｃは、内周にネジ溝が刻設された円筒部１ｃ１と、円筒部１ｃ１の下端外周面に形成された鍔部１ｃ２とを有しており、円筒部１ｃ１の外周には、防滑用のローレット１ｃ１’が形成されている。なお、円筒部１ｃ１の外周には、必ずしも、ローレット１ｃ１’を形成する必要はない。
【００２１】
２は、高さ調整工具であり、高さ調整工具２は、パイプ状或いは棒状のロッド部２ａと、ロッド部２ａの下端に取着された筒状で、下端に開口を有する嵌合部２ｂとを有しており、ロッド部２ａの外周には、その全体或いは上部に、垂直方向に延在する目盛２ａ１が形成されている。高さ調整工具２の嵌合部２ｂを、脚部材１を構成するナット１ｃの円筒部１ｃ１に嵌合し、脚部材１のボルト１ａに対して、ナット１ｃを上下動させるために、高さ調整工具２を回転させた際には、脚部材１の円筒部１ｃ１の外周にローレット１ｃ１’が形成されているので、回転される高さ調整工具２の嵌合部２ｂに対して、脚部材１のナット１ｃが、空転しないように構成されている。
【００２２】
３は、受台であり、受台３の中心部には、嵌合孔３ａが穿設されており、嵌合孔３ａには、脚部材１を構成するナット１ｃのローレット１ｃ１’が形成された円筒部１ｃ１が嵌着されるように構成されている。なお、受台３の嵌合孔３ａに、脚部材１を構成するナット１ｃが嵌着された際には、受台３の裏面３ｂは、脚部材１を構成するナット１ｃの鍔部１ｃ２の上面に当接するとともに、脚部材１を構成するナット１ｃは、受台３の上面３ｃから突出しないように構成されている。換言すれば、脚部材１を構成するナット１ｃの円筒部１ｃ１の高さＤ１は、受台３の厚さＤ２以下に形成されている。
【００２３】
次に、上述した脚部材１、高さ調整工具２及び受台３を用いた、床構造の施工方法の一例をに説明する。
【００２４】
図３に示されているように、先ず最初に、スラブＳ上の所定の箇所に、脚部材１を配置し、その後、所定の脚部材１を構成するナット１ｃの円筒部１ｃ１に、高さ調整工具２の嵌合部２ｂを嵌合させる。また、スラブ１上の適当な箇所には、公知のレーザーレベル計が配置されており、レーザーレベル計からは、放射状に、基準レベルとなる水平レーザービームＬが発射されている。
【００２５】
次いで、高さ調整工具２のロッド部２ａを、適当な把持部材により把持するとともに、把持部材を回転させることにより、高さ調整工具２を回転させて、高さ調整工具２の嵌合部２ｂに嵌合されている脚部材１のナット１ｃを回転させて、ナット１ｃを上下動させることにより、レーザーレベル計の水平レーザービームＬに、高さ調整工具２を構成するロッド部２ａの外周に形成された目盛２ａ１の所望の位置を合わせる。その後、高さ調整工具２を、脚部材１から取り外すとともに、脚部材１のボルト１ａとナット１ｃとの間隙に、瞬間接着材等の接着材を挿入することにより、ナット１ｃが、ボルト１ａに対して回転し、ナット１ｃの高さが変わらないように、脚部材１のボルト１ａとナット１ｃとを固定する。このようにして、所定の脚部材１に接続された高さ調整工具２の目盛２ａ１の所望の位置とレーザーレベル計の水平レーザービームＬとを一致させることにより、脚部材１が配置されているスラブＳの上面ｓ１から、脚部材１を構成するナット１ｃの所定の位置、例えば、ナット１ｃの鍔部１ｃ２の上面までの高さが、所望の高さに調整されることになる。
【００２６】
上述したような、スラブＳの上面ｓ１から、脚部材１を構成するナット１ｃの所定の位置までの高さが、所望の高さになるように調整する床下地パネル高さ調整作業を、高さ調整工具２及びレーザーレベル計の水平レーザービームＬを使用して、スラブＳ上に配置された全ての脚部材１について行う。
【００２７】
その後、脚部材１を構成するナット１ｃに、全て同じ厚さＤ２を有する受台３の嵌合孔３ａを、受台３の裏面３ｂが、脚部材１を構成するナット１ｃの鍔部１ｃ２の上面に当接するように嵌着することにより、スラブＳの上面ｓ１から、脚部材１に配設される受台３の上面３ｃまでの高さが、全ての脚部材１において、同じとなる。その後、図５及び図６に示されているように、受台３に、床下地パネルＰを載置するとともに、床下地パネルＰに、フローリング材Ｆを敷き詰めることになる。
【００２８】
上述したように構成することにより、受台３に載置される全ての床下地パネルについて、正確で、且つ、迅速な水平出し作業を行うことができることになる。なお、このように、脚部材１に、受台３が配設された際には、脚部材１を構成するナット１ｃ及びボルト１ａとが、受台３の上面３ｃから、上方に突出しないように構成されている。
【００２９】
また、スラブＳの上面ｓ１から、脚部材１を構成するナット１ｃの所定の位置までの高さが、所望の高さになるように調整する床下地パネル高さ調整作業を、各脚部材１において行った後、直ぐに、各脚部材１を構成するナット１ｃに、受台３の嵌合孔３ａに嵌着することもできる。
【００３０】
更に、スラブＳの上面ｓ１から、脚部材１を構成するナット１ｃの所定の位置までの高さが、所望の高さになるように調整する床下地パネル高さ調整作業を、各脚部材１において行った後、上述したように、個々の脚部材１に、個々の受台３を取り付ける代わりに、複数の嵌合孔３ａが穿設された細長い受台３を、複数の脚部材１に跨がるように配設することもできる。
【００３１】
次に、図７〜図９を用いて、本発明の他の実施例について説明する。なお、共通の部材については、上述した実施例と同じ符号が使用されている。
【００３２】
上述した実施例には、スラブ１上に脚部材１を配置した後、脚部材１に、高さ調整工具２を接続するとともに、脚部材１に接続された高さ調整工具２を回転させて、脚部材１を構成するナット１ｃを上下動させ、スラブＳの上面ｓ１から、脚部材１を構成するナット１ｃの所定の位置までの高さが、所望の高さになるように調整する床下地パネル高さ調整作業を行い、その後、脚部材１を構成するナット１ｃに、受台３の嵌合孔３ａを嵌着して、脚部材１に、受台３を配設するようにした例が示されているが、本実施例においては、床下地パネル高さ調整作業を行う前に、予め、脚部材１を構成するナット１ｃに、受台３の嵌合孔３ａを嵌着して、脚部材１に、受台３を配設しておくものである。
【００３３】
図７に示されているように、予め、脚部材１を構成するナット１ｃに、受台３の裏面３ｂが、脚部材１を構成するナット１ｃの鍔部１ｃ２の上面に当接するように、受台３の嵌合孔３ａが嵌着されている脚部材１を、スラブＳ上の所定の箇所に配置する。次いで、上述した実施例と同様に、所定の脚部材１に、高さ調整工具２を接続することになるが、本実施例においては、脚部材１に、予め、受台３がセットされているので、上述した実施例における高さ調整工具２の筒状の嵌合部２ｂに変更が加えられている。
【００３４】
上述した実施例における高さ調整工具２の筒状の嵌合部２ｂに代えて、本実施例においては、高さ調整工具２を構成するロッド部２ａの下端には、水平天板２０ｂ１と、水平天板２０ｂ１の一方の相対する端辺から垂下された垂直板２０ｂ２とからなる嵌合部２０ｂが取着されている。そして、床下地パネル高さ調整作業を行う際には、図９に示されているように、嵌合部２０ｂの相対する垂直板２０ｂ２により、受台３が、一方の相対する側壁３ｄが挟持されるように構成されている。
【００３５】
予め、脚部材１を構成するナット１ｃに、受台３の嵌合孔３ａが嵌着されている脚部材１を、スラブＳ上の所定の箇所に配置した後に、受台３の一方の相対する側壁３ｄを、高さ調整工具２の嵌合部２０ｂを構成する相対する垂直板２０ｂ２により挟持する。次いで、上述した実施例と同様に、高さ調整工具２を回転させることにより、脚部材１のナット１ｃを回転させて、ナット１ｃを上下動させることにより、レーザーレベル計の水平レーザービームＬに、高さ調整工具２を構成するロッド部２ａの外周に形成された目盛２ａ１の所望の位置を合わせる。その後、高さ調整工具２を、脚部材１から取り外すとともに、脚部材１のボルト１ａとナット１ｃとの間隙に、瞬間接着材等の接着材を挿入することにより、ナット１ｃが、ボルト１ａに対して回転し、ナット１ｃの高さが変わらないように、脚部材１のボルト１ａとナット１ｃとを固定する。なお、高さ調整後の受台３が、平面的に見て、所定の位置からずれて位置している場合には、受台３を、脚部材１ごと持ち上げて、所定の角度に回転させた後、再度、受台３は取着された脚部材１を、スラブＳ上の置くようにする。このような調整を、スラブ１上に配置された全ての脚部材１について行い、その後、上述した実施例と同様に、受台３に、同じ厚さを有する床下地パネルＰを載置する。
【００３６】
なお、上述した脚部材１と高さ調整工具２の変更及び高さ調整工程の変更以外は、上述した実施例と同じであるので、その詳細な説明は省略する。
【００３７】
上述した本実施例においては、床構造の施工現場ではなく、工場等において、脚部材１に、予め、受台３をセットしておくことにより、床構造の施工現場における床下地パネルＰやフローリング材Ｆの施工作業の作業時間を短縮化することができ、従って、床構造の施工作業を効率的に行うことができる。
【００３８】
次に、図１０〜図１４を用いて、本発明の更に他の実施例について説明する。なお、共通の部材については、上述した実施例と同じ符号が使用されている。
【００３９】
この実施例においては、脚部材１を構成するボルト１ａの上端部に、上端から垂直延在するスリット１ｄが形成されており、スリット１ｄには、楔Ｗの上端部を残して、楔Ｗの下端部が挿着されている。それ以外の脚部材１の構成は、上述した実施例と同じである。
【００４０】
Ｅは、楔打ち込み部材であり、楔打ち込み部材Ｅは、打ち込みロッドｅ１と、打ち込みロッドｅ１の上端に取着された鍔ｅ２とから構成されている。
【００４１】
楔打ち込み部材Ｅの打ち込みロッドｅ１は、高さ調整工具２のパイプとして形成されたロッド部２ａの中に挿入されるように構成されているとともに、鍔ｅ２は、ロッド部２ａの上端２ａ２に載置されるように構成されている。また、鍔ｅ２が、ロッド部２ａの上端２ａ２に載置された際には、打ち込みロッドｅ１は、高さ調整工具２を構成する嵌合部２ｂの天部２ｂ１に穿設された透孔２ｂ１’を貫通して、打ち込みロッドｅ１の下端ｅ１ａは、嵌合部２ｂ内に位置するが、或いは、嵌合部２ｂの下端２ｂ２から、所定に長さ突出するように構成されている。
【００４２】
上述した実施例と同じように、スラブＳ上の所定の箇所に、脚部材１を配置し、その後、所定の脚部材１を構成するナット１ｃの円筒部１ｃ１に、高さ調整工具２の嵌合部２ｂを嵌合させる。このように、脚部材１と高さ調整工具２とを接続させると、高さ調整工具２に挿入された楔打ち込み部材Ｅの打ち込みロッドｅ１の下端ｅ１ａが、脚部材１を構成するボルト１ａの上端部に形成されたスリット１ｄに挿着されている楔Ｗの上端に載置されるとともに、打ち込みロッドｅ１が上昇し、打ち込みロッドｅ１が、所定長さ、高さ調整工具２のパイプ状のロッド部２ａの上端２ａ２から突出するように構成されている。
【００４３】
その後、上述した実施例と同じように、高さ調整工具２のロッド部２ａの上端部等を、適当な把持部材により把持するとともに、把持部材を回転させることにより、高さ調整工具２を回転させて、高さ調整工具２の嵌合部２ｂに嵌合されている脚部材１のナット１ｃを回転させて、ナット１ｃを上下動させることにより、レーザーレベル計の水平レーザービームＬを、高さ調整工具２を構成するロッド部２ａの外周に形成された目盛２２ａ１の所望の位置に一致させる。その後、この状態を維持した状態で、楔打ち込み部材Ｅの打ち込みロッドｅ１の鍔ｅ２を、金槌等で叩くことにより、脚部材１を構成するボルト１ａの上端部に形成されたスリット１ｄに挿着されている楔Ｗを、スリット１ｄ内に更に打ち込むことにより、ボルト１ａの上端部を、外側に拡張させて、ボルト１ａの上端部を、ナット１ｃの内周面に密着させ、ナット１ｃが、ボルト１ａに対して回転し、ナット１ｃの高さが変わらないように、脚部材１のボルト１ａとナット１ｃとを固定する。その後、高さ調整工具２を、脚部材１から取り外す。
【００４４】
なお、上述した脚部材１と高さ調整工具２の変更及び高さ調整工程の変更以外は、上述した実施例と同じである。
【００４５】
上述したように、高さ調整後の脚部材１を構成するボルト１ａとナット１ｃとの固定に、楔Ｗを使用することにより、ボルト１ａとナット１ｃとの固定に、上述した実施例のように、接着剤を使用する場合に比べて、ボルト１ａとナット１ｃとの固定時間を短縮化することができる。
【００４６】
なお、上述した実施例のように、この実施例においても、予め、脚部材１を構成するナット１ｃに受台３を嵌着しておくこともできる。
【００４７】
更に、上述した実施例においては、受台３が配設された脚部材１において、脚部材１の防振ゴム部１ｂを、スラブＳの上に載置した例が示されているが、脚部材１の上下を逆にして、換言すれば、スラブＳの上に、受台３を載置し、防振ゴム部１ｂを上にした配置し、その後、防振ゴム部１ｂに、高さ調整工具２を接続し、高さ調整を行った後、脚部材１を元の位置に戻すように構成することもできる。脚部材１の防振ゴム部１ｂを、スラブＳの上に載置した場合には、防振ゴム部１ｂに比べて、受台３が大きく、且つ、重いので、スラブＳの上に載置された脚部材１が不安定になるので、大きく、且つ、重い受台３を、スラブＳの上に載置することにより、受台３が配設された脚部材１が倒れるようなことを防止することができる。
【００４８】
本発明は、スラブＳ上に、脚部材１を配置した後、脚部材１のナット１ｃに、高さ調整工具２の嵌合部２ｂを嵌合させ、次いで、高さ調整工具２を回転させることにより、高さ調整工具２のロッド部２ａの所定の目盛２ａ１位置に、スラブＳ上に載置されたレーザーレベル計の水平レーザービームＬを一致させ、その後、高さ調整工具２を、脚部材１から外した後に、脚部材１のナット１ｃに受台３を嵌着し、その後、受台３に．床下地パネルＳを載置するようにしたので、床下地パネルＰの水平出し作業を、従来の床下地パネルＰの水平出し作業のように、作業者が、床下地パネルＰの上に乗るようなことがなく、スラブＳ上に乗って行うことができ、従って、脚部材を構成する防振ゴム部の弾性変形により、正確な、床下地パネルＰの水平出しを行うことができないという従来の床構造の施工方法が有する課題を確実に解決することができる。
【００４９】
また、本発明は、スラブＳ上に、脚部材１のナット１ｃに、予め、受台３が嵌着された脚部材１を配置した後に、脚部材１に嵌着された受台３に、高さ調整工具２の嵌合部２０ｂを嵌合させ、次いで、高さ調整工具２を回転させることにより、高さ調整工具２のロッド部２ａの所定の目盛２ａ１位置に、スラブＳ上に載置されたレーザーレベル計の水平レーザービームＬを一致させ、その後、高さ調整工具２を、脚部材１に嵌着された受台３から外した後に、受台３に．床下地パネルＰを載置するようにしたので、床下地パネルＰの水平出し作業を、従来の床下地パネルＰの水平出し作業のように、作業者が、床下地パネルＰの上に乗るようなことがなく、スラブＳ上に乗って行うことができ、従って、脚部材を構成する防振ゴム部の弾性変形により、正確な、床下地パネルＰの水平出しを行うことができないという従来の床構造の施工方法が有する課題を確実に解決することができる。
【００５０】
スラブＳ上に、脚部材１のナット１ｃに、予め、受台３が嵌着された脚部材１を配置するように構成することにより、床構造の施工現場ではなく、工場等において、受台３が嵌着された脚部材１を用意しておくことができ、従って、床構造の施工現場における床下地パネルＰやフローリング材Ｆの施工作業の作業時間を短縮化することができ、ひいては、床構造の施工作業を効率的に行うことができる。
【００５１】
更に、本発明は、スラブＳ上に、ボルト１ａの上端部に形成されたスリット１ｄに楔Ｗが挿着された脚部材１を配置した後、脚部材１のナット１ｃに、高さ調整工具２の嵌合部２ｂを嵌合させ、次いで、高さ調整工具２を回転させることにより、高さ調整工具２のロッド部２ａの所定の目盛２ａ１位置に、スラブＳ上に載置されたレーザーレベル計の水平レーザービームＬを一致させ、その後、高さ調整工具２のパイプ状のロッド部２ａに挿入された楔打ち込み部材Ｅを打撃することにより、脚部材１のボルト１ａとナット１ｃとを固定し、その後、高さ調整工具２を、脚部材１から外した後に、脚部材１のナット１ｃに受台３を嵌着し、次いで、受台３に．床下地パネルＳを載置するようにしたので、床下地パネルＰの水平出し作業を、従来の床下地パネルＰの水平出し作業のように、作業者が、床下地パネルＰの上に乗るようなことがなく、スラブＳ上に乗って行うことができ、従って、脚部材を構成する防振ゴム部の弾性変形により、正確な、床下地パネルＰの水平出しを行うことができないという従来の床構造の施工方法が有する課題を確実に解決することができる。
【００５２】
上述したように、楔打ち込み部材Ｅを用いて、脚部材１のボルト１ａの上端部に形成されたスリット１ｄに挿着された楔Ｗにより、脚部材１を構成するボルト１ａとナット１ｃとの固定を行うようにしたので、脚部材１を構成するボルト１ａとナット１ｃとの固定を、接着剤により行う場合に比べて、接着剤が固まるまで待つ必要がないので、床構造の施工時間を短縮化することができる。
【符号の説明】
【００５３】
Ｌ・・・・・・・・・・・水平レーザービーム
Ｐ・・・・・・・・・・・床下地パネル
Ｓ・・・・・・・・・・・スラブ
Ｗ・・・・・・・・・・・楔
１・・・・・・・・・・・脚部材
２・・・・・・・・・・・高さ調整工具
３・・・・・・・・・・・受台
【図１】
2010159542.tif 000003
【図２】
2010159542.tif 000004
【図３】
2010159542.tif 000005
【図４】
2010159542.tif 000006
【図５】
2010159542.tif 000007
【図６】
2010159542.tif 000008
【図７】
2010159542.tif 000009
【図８】
2010159542.tif 000010
【図９】
2010159542.tif 000011
【図１０】
2010159542.tif 000012
【図１１】
2010159542.tif 000013
【図１２】
2010159542.tif 000014
【図１３】
2010159542.tif 000015
【図１４】
2010159542.tif 000016